(57)【要約】      （修正有） 【課題】薄金属板で形成して軽量化を図ると共に、屋外使用時に植物へのダメージを与えない蓋体の離脱防止機構を、簡単な構造で実現した火消し壺を提供する。【解決手段】持ち手１１を付設した容器体１と、容器体に被冠装着される蓋体２と、脚体３とで構成され、脚体３が、容器体１の載置面部と前記載置面部の外周に容器体の外周と対応する脚部３２とを備え、容器体に被冠装着した蓋体の上面から脚体を被冠外装した際における脚部と対応する容器体の上部外周に、脚固定部１２を設けてなり、炭の消火時には、脚体３上に容器体を載置して使用し、消火後の運搬時には脚体３を蓋体上方から被冠して、脚部３２を容器体１に固定する。【選択図】図３
0003144975.tif 000002
【実用新案登録請求の範囲】
【請求項１】
持ち手を付設した容器体と、容器体に被冠装着される蓋体と、脚体とで構成され、脚体が、容器体の載置面部と前記載置面部の外周に容器体の外周と対応する脚部とを備え、容器体に被冠装着した蓋体の上面から脚体を被冠外装した際における脚部と対応する容器体の上部外周に、脚部固定部を設けてなることを特徴とする火消し壺。
【請求項２】
脚体が線材で形成され、載置面部がリング杆と放射杆で形成され、一部放射杆の外周端を載置した容器体が嵌合する立上部に形成し、一部放射杆を外周方向に延出するとともに下方に折曲して脚部としてなる請求項１記載の火消し壺。
【請求項３】
脚固定部を、容器体外周に設けた脚受け部と、脚受け部の外側に配置した挟圧板部と、挟圧板部を脚受け部方向に移動させる操作ネジとで構成し、脚受け部と挟圧板部との間に差し入れた脚部を挟圧固定してなる請求項１又は２記載の火消し壺。
【考案の詳細な説明】
【技術分野】
【０００１】
本考案は、点火している炭を消して再利用するための火消し壺に関するものである。
【背景技術】
【０００２】
火消し壺は、周知のとおり陶磁器製の蓋付き壺が従前より知られているが、近年屋外調理（バーベキュー）に使用する火消し壺として、運搬が容易な金属製の器具が販売されている。
【０００３】
この金属製のものとしては、アルミ鋳鉄製で蓋体をネジ式の螺合構造とし、容器体の下部に足枠を設け、上部に持ち手を設けている器具が販売されている（ロゴス社製：火消壺８１０６３１１８：web上のショッピングページを参照）。また薄金属製の器具としては、木製台座と、脚付きで且つ折り畳み持ち手を設けた容器体と、容器体に被冠装着する蓋体で構成される器具が販売されている（キャプテンスタッグ・アルスター火消壺Ｍ−７５６７：web上のショッピングページを参照）。
【０００４】
更に特許文献１（特開２００１−１２４３３７号公報）には、薄金属板製の二重容器体において、内容器の内底に透孔を穿設し、蓋体と外容器との間に止め金からなる連結構造を採用している器具が開示されている。
【０００５】
【特許文献１】特開２００１−１２４３３７号公報。
【考案の開示】
【考案が解決しようとする課題】
【０００６】
前記の市販されている火消し壺のうち、アルミ鋳物製の器具は、相応の重量（５．５Ｌ容量で２．３ｋｇ）を有して、運搬時の取り扱いに不便であり、且つ高価である。而も点火した炭が直接接触している容器体の底面を芝生面や地面上に直接置くことになるので、植物などにダメージを与えてしまう。
【０００７】
また前記の市販されている薄金属板製の器具は、軽量で且つ脚部を備えているので、前記のアルミ鋳物製の器具が有する問題は生じないが、脚部を備えるための製造上の煩雑さや、脚部の突出による収納時の不便さがあり、更に蓋体の装着が単なる被冠であるために消し炭収納状態での運搬に際して、蓋体が外れる虞がある。
【０００８】
特許文献１記載の器具は、前記の市販の薄金属板製器具の有する問題は、解決されているが、容器を二重に形成しているために、製造コストの問題がある。
【０００９】
そこで本考案は、製造が容易であり低コストで製造できると共に、容器体の脚の課題と蓋体の離脱防止を一挙に解決する新規な火消し壺を提案したものである。
【課題を解決するための手段】
【００１０】
本考案（請求項１）に係る火消し壺は、持ち手を付設した容器体と、容器体に被冠装着される蓋体と、脚体とで構成され、脚体が、容器体の載置面部と前記載置面部の外周に容器体の外周と対応する脚部とを備え、容器体に被冠装着した蓋体の上面から脚体を被冠外装した際における脚部と対応する容器体の上部外周に、脚部固定部を設けてなることを特徴とするものである。
【００１１】
而して脚体上に容器体を載置し、容器体内に火の点いている炭を入れ、蓋体を被冠して容器体を酸素欠乏状態とし、点火している炭の消火をなして消し炭とするものである。特に脚体上に載置するので、容器体の底面が芝生面や地面と接触しないので植物へのダメージを与えることがない。また運搬に際しては、脚体を蓋体上に被冠し、脚部を容器体の脚部固定部で固定することで、蓋体の容器体からの離脱が防止され、安全に運搬できることになる。
【００１２】
また本考案（請求項２）に係る火消し壺は、前記の火消し壺において、脚体が線材で形成され、載置面部がリング杆と放射杆で形成され、一部放射杆の外周端を載置した容器体が嵌合する立上部に形成し、一部放射杆を外周方向に延出するとともに下方に折曲して脚部（脚杆）としてなるものである。
【００１３】
従って軽量で形成されると共に、立上部に容器体の底面部分が嵌合するので、容器体を安定した状態で中空維持できるものである。
【考案の効果】
【００１４】
本考案の火消し壺は上記のとおりで、容器体と蓋体と脚体で構成することにより、脚体の使用によって火消し時に植物へダメージを与える事がなく、而も容器体構造を簡単にすることができて、且つ脚体を蓋体の離脱防止部材として使用することもできたもので、器具の製造コストを低廉としたものである。
【考案を実施するための最良の形態】
【００１５】
次に本考案の実施の形態について説明する。実施形態に示した火消し壺は、容器体１、蓋体２、脚体３で構成される。
【００１６】
容器体１は、薄金属板製で釣り手（持ち手）１１を有するバケツ様の容器で、上部外周に後述する脚体３の脚部（三脚）３２に対応して３か所に脚固定部１２を設けてなる。
【００１７】
脚固定部１２は、脚部（２本の縦杆）３２が添えることのできる脚受け部１２１を容器体１の外周面に突出させて設け、この脚受け部１２１の外側に挟圧板部１２２を配置すると共に、挟圧板部１２２を貫通して脚受け部１２１に螺合する操作ネジ１２３を設けて、脚受け部１２１と挟圧板部１２２との間に差し入れた脚部３２を挟圧固定可能にしてなるものである。
【００１８】
蓋体２は、前記容器体１の開口部に密着して開口部を密閉する形状に形成したもので、上面を平面に形成すると共に、中心に摘み部２１を設けてなる。
【００１９】
脚体３は、容器体１を載置する載置面部３１と、前記載置面部３１の外周に容器体１の外周と対応する脚部３２とを備えたもので、具体的には、脚体３全体が線材で形成され、  載置面部３１がリング杆３１１と放射杆３１２で形成され、一部放射杆の外周端を載置した容器体１が嵌合する立上部３１３に形成してなる。
【００２０】
尚特にリング杆３１１は摘み部２１の外周側に位置するようにし、且つ放射杆３１２も摘み部２１の外周側に位置するようにすると、摘み部２１を蓋体上面より突出して形成することができ、また後述する運搬時において、摘み部２１を保持することも容易になるものである。
【００２１】
また脚部３２は、一部（３方向）の放射杆３１２を外周方向に延出するとともに下方に折曲して形成したものである。
【００２２】
而して屋外調理の終了時に、地面や芝生面に脚部３２の先端を刺突して脚体３を地面上に位置させ、次に前記の脚体３上に容器体１を載置する。特に容器体１は立上部３１３に容器体１の底面部分が嵌合するので、容器体１を安定した状態で脚体３上に載置されるものである。
【００２３】
そこで屋外調理終了時にコンロに残っている火が点いている炭Ａを容器体１内に収納し、蓋体２を被冠して容器体１内を酸素欠乏状態として、点火している炭Ａを消火するものである。この消火過程において容器体１は、脚体３によって地面や芝生面から離されているので、炭の熱が地面などに直接伝わることがないので、植物へダメージを与えることがない。
【００２４】
消火が為された後には、脚体３から蓋体２を装着したままの容器体１をおろし、脚体３を蓋体２の上から被冠し、脚部３２を容器体１の脚部固定部１２の脚受け部１２１と挟圧板部１２２との間に差し入れ、操作ネジ１２３を緊締することで、脚部３２を挟圧固定するもので、蓋体２はこの脚体３の装着によって容器体１からの離脱が防止されるので、運搬に際して、蓋体２が外れて不測の事態が生ずる虞がなく安全である。
【００２５】
また不使用時においても、容器体１に蓋体２を被冠し、更に脚体３を被冠装着して固定することで、器具が一体化され、運搬収納に便利である。
【図面の簡単な説明】
【００２６】
【図１】本考案の実施形態の全体斜視図。
【図２】同使用状態の説明図（炭の投入後）。
【図３】同使用状態の説明図（蓋体の装着）。
【図４】同使用状態の説明図（運搬時の状態）。
【図５】同断面図。
【符号の説明】
【００２７】
１        容器体
１１      釣り手（持ち手）
１２      脚固定部
１２１    脚受け部
１２２    挟圧板部
１２３    操作ネジ
２        蓋体
２１      摘み部
３        脚体
３１      載置面部
３１１    リング杆
３１２    放射杆
３１３    立上部
３２      脚部
【図１】
0003144975.tif 000003
【図２】
0003144975.tif 000004
【図３】
0003144975.tif 000005
【図４】
0003144975.tif 000006
【図５】
0003144975.tif 000007